(57)【要約】【課題】簡易な構成で、感光ドラムやクリーニング部材をアースできるドラムユニットを提供すること。【解決手段】  感光ドラム１１と、感光ドラム１１の左右方向端部を支持し、装置本体２内の本体基準軸７０と接触する金属製の内側板３１と、感光ドラム１１の表面をクリーニングするクリーニングブレード８２と、クリーニングブレード８２を支持し、内側板３１に固定される絶縁性のクリーナフレーム８１とを備えるドラムユニット９において、クリーニングブレード８２のブレード本体８２Ｂを支持する金属製の支持部材８２Ａを、ブレードアース部材８０で内側板３１に電気的に接続する。【選択図】図１１
2015194651.tif 000002
【特許請求の範囲】
【請求項１】
感光ドラムと、
前記感光ドラムの軸線が延びる軸線方向において前記感光ドラムの端部を支持し、外部の導電性部材と接触する接点部を備える導電性の側板と、
前記感光ドラムの表面をクリーニングするように構成されるクリーニング部材と、
前記クリーニング部材を支持する導電性の支持部材と、
前記支持部材を支持し、前記側板に固定される絶縁性のフレームと、
前記支持部材と前記側板とを電気的に接続する接続部材と
を備えることを特徴とする、ドラムユニット。
【請求項２】
前記側板は、
前記軸線方向一方において前記感光ドラムの端部を支持する第１側板と、
前記軸線方向一方とは反対側の前記軸線方向他方において前記感光ドラムの端部を支持する第２側板と
を含み、
前記接続部材は、
前記第１側板と前記支持部材とを電気的に接続する第１接続部材と、
前記第２側板と前記支持部材とを電気的に接続する第２接続部材と
を含むことを特徴とする、請求項１に記載のドラムユニット。
【請求項３】
前記接続部材は、前記側板とともに前記フレームに対して固定される固定部を有することを特徴とする、請求項１または２に記載のドラムユニット。
【請求項４】
前記接続部材は、前記支持部材に弾性的に接触される接触部を有することを特徴とする、請求項１〜３のいずれか一項に記載のドラムユニット。
【請求項５】
前記接続部材は、ワイヤであることを特徴とする、請求項１〜４のいずれか一項に記載のドラムユニット。
【請求項６】
前記感光ドラムは、前記側板に電気的に接続されていることを特徴とする、請求項１〜５のいずれか一項に記載のドラムユニット。
【請求項７】
前記感光ドラムは、前記軸線方向と直交する直交方向において、互いに間隔を隔てて複数配置され、
前記側板は、前記複数の感光ドラムのそれぞれの前記軸線方向端部を支持し、
前記クリーニング部材は、前記複数の感光ドラムのそれぞれに対応して複数配置され、対応する前記感光ドラムの表面をクリーニングするように構成され、
前記支持部材は、前記複数のクリーニング部材のそれぞれに対応して複数配置され、対応する前記クリーニング部材を支持することを特徴とする、請求項１〜６のいずれか一項に記載のドラムユニット。
【請求項８】
感光ドラムと、
前記感光ドラムの軸線が延びる軸線方向の一方において前記感光ドラムの端部を支持し、前記感光ドラムと電気的に接続され、外部の導電性部材と接触する接点部を備える導電性の第１側板と、
前記軸線方向一方とは反対側の前記軸線方向他方において前記感光ドラムの端部を支持し、前記感光ドラムとの電気的な接続が解除され、外部の導電性部材と接触する接点部を備える導電性の第２側板と、
前記感光ドラムの近傍に配置され、前記第１側板と前記第２側板とを電気的に接続する導通部材と
を備えることを特徴とする、ドラムユニット。
【請求項９】
前記第１側板と前記導通部材とを電気的に接続する第１接続部材と、
前記第２側板と前記導通部材とを電気的に接続する第２接続部材と
をさらに備えることを特徴とする、請求項８に記載のドラムユニット。
【請求項１０】
前記導通部材は、前記感光ドラムの表面をクリーニングするように構成されるクリーニング部材を支持することを特徴とする、請求項８または９に記載のドラムユニット。
【請求項１１】
前記感光ドラムは、前記軸線方向と直交する直交方向において、互いに間隔を隔てて複数配置され、
前記第１側板は、前記複数の感光ドラムのそれぞれの前記軸線方向一方の端部を支持し、
前記第２側板は、前記複数の感光ドラムのそれぞれの前記軸線方向他方の端部を支持し、
前記導通部材は、前記複数の感光ドラムのそれぞれに対応して複数配置されていることを特徴とする、請求項８〜１０のいずれか一項に記載のドラムユニット。
【発明の詳細な説明】
【技術分野】
【０００１】
本発明は、電子写真方式が採用される画像形成装置に装着されるドラムユニットに関する。
【背景技術】
【０００２】
電子写真方式の画像形成装置として、イエロー、マゼンタ、シアンおよびブラックの各色に対応する複数の像担持体を備える、いわゆるタンデム型のカラープリンタが知られている。
【０００３】
このようなタンデム型のカラープリンタとして、各色に対応する４つの感光ドラムと、各感光ドラムを軸受する軸受部材と、軸受部材を介して各感光ドラムを一体的に支持し、各感光ドラムの位置を決める内側板とを有するドラムユニットを備えるプリンタが提案されている（例えば、下記特許文献１参照）。
【先行技術文献】
【特許文献】
【０００４】
【特許文献１】特開２０１１−６４８８４号公報
【発明の概要】
【発明が解決しようとする課題】
【０００５】
上記した特許文献１に記載のプリンタにおいて、感光ドラムや、感光ドラムをクリーニングする部材などを本体ケーシングにアースすることが検討される。
【０００６】
そこで、本発明の目的は、簡易な構成で、感光ドラムやクリーニング部材をアースできるドラムユニットを提供することにある。
【課題を解決するための手段】
【０００７】
（１）第１の発明のドラムユニットは、感光ドラムと、感光ドラムの軸線が延びる軸線方向において感光ドラムの端部を支持し、外部の導電性部材と接触する接点部を備える導電性の側板と、感光ドラムの表面をクリーニングするように構成されるクリーニング部材と、クリーニング部材を支持する導電性の支持部材と、支持部材を支持し、側板に固定される絶縁性のフレームと、支持部材と側板とを電気的に接続する接続部材とを備える。
【０００８】
このような構成によれば、クリーニング部材を支持する支持部材を側板にアースすることができる。
【０００９】
そのため、感光ドラムを支持する側板を外部の導電性部材に対してアースし、その側板を利用して支持部材をアースできる。
【００１０】
その結果、簡易な構成で、クリーニング部材をアースできる。
（２）側板は、軸線方向一方において感光ドラムの端部を支持する第１側板と、軸線方向一方とは反対側の軸線方向他方において感光ドラムの端部を支持する第２側板とを含んでもよい。接続部材は、第１側板と支持部材とを電気的に接続する第１接続部材と、第２側板と支持部材とを電気的に接続する第２接続部材とを含んでもよい。
【００１１】
このような構成によれば、第１接続部材と第２接続部材とによって、第１側板と第２側板とを支持部材を介して電気的に接続することができる。
【００１２】
そのため、支持部材を第１側板と第２側板とにアースできる。
【００１３】
その結果、より確実にクリーニング部材をアースできる。
（３）接続部材は、側板とともにフレームに対して固定される固定部を有してもよい。
【００１４】
このような構成によれば、側板と接続部材とを一緒にフレームに固定することができる。
【００１５】
その結果、より簡易な構成で、クリーニング部材をアースできる。
（４）接続部材は、支持部材に弾性的に接触される接触部を有してもよい。
【００１６】
このような構成によれば、簡易な構成で確実に、接続部材と支持部材とを電気的に接続することができる。
（５）接続部材は、ワイヤであってもよい。
【００１７】
このような構成によれば、より一層簡易な構成で、クリーニング部材をアースできる。
（６）感光ドラムは、側板に電気的に接続されていてもよい。
【００１８】
このような構成によれば、側板を利用して感光ドラムもアースできる。
【００１９】
その結果、簡易な構成で、感光ドラムとクリーニング部材とをアースできる。
（７）感光ドラムは、軸線方向と直交する直交方向において、互いに間隔を隔てて複数配置されていてもよい。側板は、複数の感光ドラムのそれぞれの軸線方向端部を支持し、クリーニング部材は、複数の感光ドラムのそれぞれに対応して複数配置され、対応する感光ドラムの表面をクリーニングするように構成されてもよい。支持部材は、複数のクリーニング部材のそれぞれに対応して複数配置され、対応するクリーニング部材を支持することを特徴としてもよい。
【００２０】
このような構成によれば、簡易な構成で、複数のクリーニング部材をアースできる。
（８）第２の発明のドラムユニットは、感光ドラムと、感光ドラムの軸線が延びる軸線方向の一方において感光ドラムの端部を支持し、感光ドラムと電気的に接続され、外部の導電性部材と接触する接点部を備える導電性の第１側板と、軸線方向一方とは反対側の軸線方向他方において感光ドラムの端部を支持し、感光ドラムとの電気的な接続が解除され、外部の導電性部材と接触する接点部を備える導電性の第２側板と、感光ドラムの近傍に配置され、第１側板と第２側板とを電気的に接続する導通部材とを備える。
【００２１】
このような構成によれば、第１側板と第２側板とを導通部材を介して電気的に接続することができる。
【００２２】
そのため、第１側板にのみアースされた感光ドラムを、支持部材を介して第２側板にもアースできる。
【００２３】
その結果、簡易な構成で、より確実に感光ドラムをアースできる。
（９）第２の発明のドラムユニットは、第１側板と導通部材とを電気的に接続する第１接続部材と、第２側板と導通部材とを電気的に接続する第２接続部材とをさらに備えてもよい。
【００２４】
このような構成によれば、第１接続部材と第２接続部材とによって、簡易な構成で、第１側板と第２側板とを導通部材を介して電気的に接続することができる。
（１０）導通部材は、感光ドラムの表面をクリーニングするように構成される絶縁性のクリーニング部材を支持してもよい。
【００２５】
このような構成によれば、導通部材を利用してクリーニング部材を支持することができる。
（１１）感光ドラムは、軸線方向と直交する直交方向において、互いに間隔を隔てて複数配置されてもよい。第１側板は、複数の感光ドラムのそれぞれの軸線方向一方の端部を支持してもよい。第２側板は、複数の感光ドラムのそれぞれの軸線方向他方の端部を支持してもよい。導通部材は、複数の感光ドラムのそれぞれに対応して複数配置されていてもよい。
【００２６】
このような構成によれば、簡易な構成で、複数の感光ドラムを確実にアースできる。
【発明の効果】
【００２７】
本発明のドラムユニットによれば、簡易な構成で、感光ドラムやクリーニング部材を確実にアースできる。
【図面の簡単な説明】
【００２８】
【図１】図１は、本発明の画像形成装置の一実施形態を示す中央断面図である。
【図２】図２は、図１に示すプロセスユニットの右前方から見た斜視図である。
【図３】図３は、図２に示すドラムユニットの前板、後板および外側板を取り外した状態を示す右前方から見た斜視図である。
【図４】図４は、図３に示すドラムユニットの左前方から見た斜視図である。
【図５】図５は、図３に示すドラムユニットの右前方から見た分解斜視図である。
【図６】図６は、図５に示す内側板の右前方から見た斜視図である。
【図７】図７Ａは、図５に示すクリーナフレームの右前方から見た斜視図である。図７Ｂは、図５に示す帯電ユニットの右前方から見た斜視図である。
【図８】図８は、図５に示すドラムカップリングの左前方から見た斜視図である。
【図９】図９は、図４に示すドラムユニットのＡ−Ａ断面図である。
【図１０】図１０は、図３に示すドラムユニットのＢ−Ｂ断面図である。
【図１１】図１１は、クリーニングブレードのアースを説明するための説明図である。
【図１２】図１２は、ドラムユニットの変形例を説明する説明図である。
【図１３】図１３は、画像形成装置の変形例を説明する説明図であって、中間転写タイプの画像形成装置を示す。
【発明を実施するための形態】
【００２９】
１．画像形成装置の全体構成
図１に示すように、画像形成装置１は、横置きタイプのダイレクトタンデム型カラーレーザプリンタである。
【００３０】
なお、以下の説明において、方向について言及する場合には、画像形成装置１を水平に載置した状態を上下の基準とする。すなわち、図１の紙面上方が上方であり、図１の紙面下方が下方である。また、図１の紙面左方が前方であり、図１の紙面右方が後方である。また、画像形成装置１を前方から見たときを左右の基準とする。すなわち、図１の紙面手前が右方であり、紙面奥が左方である。
【００３１】
画像形成装置１は、装置本体２と、プロセスユニット３と、スキャナユニット４と、転写ユニット５と、定着ユニット６とを備えている。
【００３２】
装置本体２は、略ボックス形状に形成されている。装置本体２は、開口部２１と、フロントカバー２２と、給紙トレイ７と、排紙トレイ８とを有している。
【００３３】
開口部２１は、装置本体２の前端部に配置されている。開口部２１は、プロセスユニット３の通過を許容するように、装置本体２の内外を前後方向に連通している。
【００３４】
フロントカバー２２は、装置本体２の前端部に配置されている。フロントカバー２２は、略平板形状を有している。フロントカバー２２は、上下方向に延び、その下端部を支点として装置本体２の前壁に揺動可能に支持されている。フロントカバー２２は、開口部２１を開放または閉鎖するように構成されている。
【００３５】
給紙トレイ７は、装置本体２の底部に配置されている。給紙トレイ７は、用紙Ｐを収容するように構成されている。
【００３６】
排紙トレイ８は、装置本体２の上壁に配置されている。排紙トレイ８は、用紙Ｐが載置されるように、装置本体２の上面から下方へ凹んでいる。
【００３７】
プロセスユニット３は、装置本体２の中央に配置されている。プロセスユニット３は、開口部２１を介して、装置本体２の内外を移動可能である。プロセスユニット３は、ドラムユニット９と、複数の現像カートリッジ１０とを備えている。
【００３８】
ドラムユニット９は、複数の感光ドラム１１と、複数のスコロトロン型帯電器１２とを備えている。
【００３９】
複数の感光ドラム１１のそれぞれは、プロセスユニット３の下端部に回転可能に支持されている。複数の感光ドラム１１のそれぞれは、イエロー、マゼンタ、シアン、ブラックのそれぞれに対応している。複数の感光ドラム１１のそれぞれは、前方から後方に向かって、イエロー、マゼンタ、シアン、ブラックの順に互いに間隔を隔てて並列配置されている。複数の感光ドラム１１のそれぞれは、左右方向に延びる略円筒形状を有している。すなわち、感光ドラム１１の軸線Ａ（図５参照）は、左右方向に延びている。
【００４０】
複数のスコロトロン型帯電器１２のそれぞれは、複数の感光ドラム１１のそれぞれに対応し、対応する感光ドラム１１の後上方に間隔を隔てて配置されている。
【００４１】
複数の現像カートリッジ１０のそれぞれは、複数の感光ドラム１１のそれぞれに対応し、対応する感光ドラム１１の上方に配置されている。複数の現像カートリッジ１０のそれぞれは、現像ローラ１３と、供給ローラ１４とを備えている。また、現像カートリッジ１０は、現像ローラ１３および供給ローラ１４の上方の空間において、各色に対応するトナーを収容している。
【００４２】
現像ローラ１３は、現像カートリッジ１０の下端部において、後方へ露出するように回転可能に支持されている。また、現像ローラ１３は、感光ドラム１１の前上端部に接触している。
【００４３】
供給ローラ１４は、現像ローラ１３の前上方に配置されている。供給ローラ１４は、現像ローラ１３の前上端部に接触している。
【００４４】
スキャナユニット４は、プロセスユニット３の上方に配置されている。スキャナユニット４は、図１に実線で示すように、感光ドラム１１に向かって、画像データに基づいてレーザービームを出射し、感光ドラム１１を露光する。
【００４５】
転写ユニット５は、プロセスユニット３の下方に配置されている。転写ユニット５は、駆動ローラ１５と、従動ローラ１６と、搬送ベルト１７と、複数の転写ローラ１８とを備えている。
【００４６】
駆動ローラ１５は、転写ユニット５の後端部に配置されている。
【００４７】
従動ローラ１６は、駆動ローラ１５の前方に間隔を隔てて対向配置されるように、転写ユニット５の前端部に配置されている。
【００４８】
搬送ベルト１７は、その上方部分がすべての感光ドラム１１と接触するように、駆動ローラ１５および従動ローラ１６の周りに巻回されている。搬送ベルト１７は、駆動ローラ１５の駆動、および、従動ローラ１６の従動により、その上方部分が前方から後方へ向かって移動するように、周回移動される。
【００４９】
複数の転写ローラ１８のそれぞれは、複数の感光ドラム１１のそれぞれに対応し、対応する感光ドラム１１の下方において、搬送ベルト１７の上方部分を挟んで配置されている。
【００５０】
定着ユニット６は、転写ユニット５の後方に配置され、加熱ローラ１９、および、加熱ローラ１９に接触する加圧ローラ２０を備えている。
【００５１】
そして、画像形成装置１が画像形成動作を開始すると、スコロトロン型帯電器１２は、感光ドラム１１の表面を一様に帯電する。その後、スキャナユニット４は、感光ドラム１１の表面を露光する。これにより、画像データに基づく静電潜像が、感光ドラム１１の表面に形成される。
【００５２】
また、供給ローラ１４は、現像カートリッジ１０内のトナーを現像ローラ１３に供給する。このとき、トナーは、現像ローラ１３と供給ローラ１４との間で摩擦帯電され、現像ローラ１３上に担持される。
【００５３】
そして、現像ローラ１３は、担持されたトナーを、感光ドラム１１の表面上の静電潜像に供給する。これにより、トナー像が、感光ドラム１１の表面上に担持される。
【００５４】
用紙Ｐは、各種ローラの回転により、給紙トレイ７から前上方へ搬送された後、後上方へＵターンされて、所定のタイミングで１枚ずつ、イエローの感光ドラム１１と搬送ベルト１７との間に給紙される。その後、用紙Ｐは、搬送ベルト１７によって前方から後方へ向かって搬送される。感光ドラム１１上のトナー像は、用紙Ｐが感光ドラム１１と転写ローラ１８との間を通過するときに、用紙Ｐに転写される。
【００５５】
その後、用紙Ｐは、加熱ローラ１９と加圧ローラ２０との間を通過するときに加熱および加圧される。このとき、用紙Ｐ上のトナー像は、用紙Ｐに熱定着される。その後、用紙Ｐは、排紙トレイ８に排紙される。
２．ドラムユニットの詳細
ドラムユニット９は、上記し、図２および図３に示すように、平面視略矩形の枠形状を有している。ドラムユニット９は、１対の内側板３１、複数のドラムクリーナ３２、複数の帯電ユニット２７、上記した複数の感光ドラム１１、複数の軸受部材３３、前板３４、後板３５、および１対の外側板３６を備えている。
（１）内側板
１対の内側板３１のそれぞれは、図３および図５に示すように、互いに左右方向に間隔を隔てて配置されている。１対の内側板３１のそれぞれは、前後方向に長い側面視略矩形の平板形状を有している。１対の内側板３１のそれぞれは、同一のプレス型を用いて金属板をプレス加工することによって得られ、互いに同一の形状を有している。１対の内側板３１のそれぞれは、複数の貫通穴３７と、複数の係合部３８と、複数のボス挿通穴２８と、複数のねじ挿通穴２９と、切欠部３０とを有している。
【００５６】
複数の貫通穴３７のそれぞれは、図６に示すように、前後方向に互いに等間隔を隔てて配置されている。複数の貫通穴３７のそれぞれは、複数の感光ドラム１１のそれぞれに対応して、具体的には、４つ配置されている。複数の貫通穴３７のそれぞれは、側面視略円形状を有している。複数の貫通穴３７のそれぞれの内面は、複数の平面３９と、複数の曲面４０とを有している。
【００５７】
複数の平面３９のそれぞれは、貫通穴３７の前端部、後端部、上端部、下端部のそれぞれに１つずつ配置されている。前方の平面３９Ｆ、および、後方の平面３９Ｒのそれぞれは、上下方向に延びている。上方の平面３９Ｕ、および、下方の平面３９Ｌのそれぞれは、前後方向に延びている。
【００５８】
複数の曲面４０のそれぞれは、貫通穴３７の前上端部、前下端部、後上端部、後下端部のそれぞれに１つずつ配置されている。前上方の曲面４０は、前上方へ凹む略円弧形状を有し、上方の平面３９Ｕと前方の平面３９Ｆとを連結している。前下方の曲面４０は、前下方へ凹む略円弧形状を有し、下方の平面３９Ｌと前方の平面３９Ｆとを連結している。後上方の曲面４０は、後上方へ凹む略円弧形状を有し、上方の平面３９Ｕと後方の平面３９Ｒとを連結している。後下方の曲面４０は、後下方へ凹む略円弧形状を有し、下方の平面３９Ｌと後方の平面３９Ｒとを連結している。
【００５９】
複数の係合部３８のそれぞれは、上係合部３８Ａと下係合部３８Ｂとを含んでいる。
【００６０】
複数の上係合部３８Ａのそれぞれは、複数の貫通穴３７のそれぞれの上方に配置されている。複数の上係合部３８Ａのそれぞれは、内側板３１の上端縁から下方へ向かって切り欠かれている。複数の上係合部３８Ａのそれぞれは、側面視略矩形状を有している。
【００６１】
複数の下係合部３８Ｂのそれぞれは、複数の貫通穴３７のそれぞれの下方に配置されている。複数の下係合部３８Ｂのそれぞれは、内側板３１の下端縁から上方へ向かって切り欠かれている。複数の下係合部３８Ｂのそれぞれは、側面視略矩形状を有している。
【００６２】
複数のボス挿通穴２８のそれぞれは、複数の貫通穴３７のそれぞれの後上方に配置されている。複数のボス挿通穴２８のそれぞれは、内側板３１を左右方向に貫通し、前後方向に延びる側面視略長穴形状を有している。
【００６３】
複数のねじ挿通穴２９のそれぞれは、複数のボス挿通穴２８のそれぞれの後下方に配置されている。複数のボス挿通穴２８のそれぞれは、内側板３１を左右方向に貫通し、側面視略円形状を有している。
【００６４】
切欠部３０は、内側板３１の後端部に配置されている。切欠部３０は、内側板３１の後端縁から前方へ向かって切り欠かれている。切欠部３０は、後端部が開放された側面視略Ｖ字形状を有している。
（２）ドラムクリーナ
複数のドラムクリーナ３２のそれぞれは、図５および図９に示すように、複数の感光ドラム１１のそれぞれに対応し、対応する感光ドラム１１の後方において、１対の内側板３１の間に配置されている。複数のドラムクリーナ３２のそれぞれは、クリーナフレーム８１と、クリーニングブレード８２と、スクリュー８３と、除電部材８４とを備えている。
【００６５】
クリーナフレーム８１は、絶縁性の樹脂からなり、図７Ａに示すように、本体部８５と、１対の壁部８６と、１対のボス８１Ａと、１対のねじ穴８１Ｂとを備えている。
【００６６】
本体部８５は、図７Ａおよび図９に示すように、クリーナフレーム８１の後端部に配置されている。本体部８５は、左右方向に延び、左右方向両端部が閉鎖された略角筒形状を有している。本体部８５は、ブレード支持部８７と、廃トナー収容部８８と、除電部材支持部８９とを有している。
【００６７】
ブレード支持部８７は、本体部８５の上端部に配置されている。ブレード支持部８７は、左右方向に延びる略板形状を有している。
【００６８】
廃トナー収容部８８は、ブレード支持部８７の下方に配置されている。廃トナー収容部８８は、左右方向に延び、前端部が開放された略半円筒形状を有している。廃トナー収容部８８の上端部は、ブレード支持部８７の下端部に連続している。
【００６９】
除電部材支持部８９は、廃トナー収容部８８の下方に配置されている。除電部材支持部８９は、左右方向に延び、前端部が開放された略角筒形状を有している。除電部材支持部８９の上端部は、廃トナー収容部８８の下端部に連続している。
【００７０】
１対の壁部８６のそれぞれは、クリーナフレーム８１の左右方向両端部のそれぞれに配置されている。１対の壁部８６のそれぞれは、本体部８５の左右方向両端部のそれぞれから前方へ延びる略板形状を有している。１対の壁部８６のそれぞれは、１対の内側板３１のそれぞれの内面に接触している（図１０参照）。１対の壁部８６のそれぞれは、挿通穴９０と、帯電支持部９２と、係合溝９１とを有している。
【００７１】
挿通穴９０は、壁部８６の略中央に配置されている。挿通穴９０は、側面視略円形状を有している。挿通穴９０は、左右方向に投影したときに、内側板３１の貫通穴３７と一致する。挿通穴９０の内面は、複数の平面９３と、複数の曲面９４とを有している。
【００７２】
複数の平面９３のそれぞれは、挿通穴９０の前端部、後端部、上端部、下端部のそれぞれに１つずつ配置されている。前方の平面９３Ｆ、および、後方の平面９３Ｒのそれぞれは、上下方向に延びている。上方の平面９３Ｕ、および、下方の平面９３Ｌのそれぞれは、前後方向に延びている。
【００７３】
複数の曲面９４のそれぞれは、挿通穴９０の前上端部、前下端部、後上端部、後下端部のそれぞれに１つずつ配置されている。前上方の曲面９４は、前上方へ凹む略円弧形状を有し、上方の平面９３Ｕと前方の平面９３Ｆとを連結している。前下方の曲面９４は、前下方へ凹む略円弧形状を有し、下方の平面９３Ｌと前方の平面９３Ｆとを連結している。後上方の曲面９４は、後上方へ凹む略円弧形状を有し、上方の平面９３Ｕと後方の平面９３Ｒとを連結している。後下方の曲面９４は、後下方へ凹む略円弧形状を有し、下方の平面９３Ｌと後方の平面９３Ｒとを連結している。
【００７４】
帯電支持部９２は、壁部８６の上端部に配置されている。左方の壁部８６の帯電支持部９２は、上下方向に延びる略板形状を有している。右方の壁部８６の帯電支持部９２は、前上方と後下方とを結ぶ方向に延びる略板形状を有している。右方の壁部８６の帯電支持部９２の上端部は、左方の壁部８６の帯電支持部９２の上端部よりも後方に配置されている。帯電支持部９２は、左右方向に投影したときに、内側板３１から露出されている。帯電支持部９２は、嵌合穴９２Ａを有している。
【００７５】
嵌合穴９２Ａは、帯電支持部９２の上端部に配置されている。嵌合穴９２Ａは、帯電支持部９２を左右方向に貫通し、側面視略円形状を有している。
【００７６】
係合溝９１は、帯電支持部９２の後方に配置されている。係合溝９１は、側面視略Ｌ字形状を有している。係合溝９１は、壁部８６の上端縁から下方へ向かって切り欠かれ、その下端部において後方へ向かって切り欠かれている。左方の係合溝９１の溝幅は、帯電ユニット２７の左方の係合ボス１０２（後述）の外径とほぼ同じである。右方の係合溝９１の溝幅は、左方の係合溝９１の溝幅よりも大きく、帯電ユニット２７の右方の係合ボス１０２（後述）の外寸とほぼ同じである。
【００７７】
１対のボス８１Ａのそれぞれは、図３および図７Ａに示すように、クリーナフレーム８１の左右方向両端部のそれぞれに配置されている。１対のボス８１Ａのそれぞれは、本体部８５の左右方向外面から左右方向外方へ突出する略円柱形状を有している。１対のボス８１Ａのそれぞれは、対応する内側板３１のボス挿通穴２８内に嵌まっている。
【００７８】
１対のねじ穴８１Ｂのそれぞれは、１対のボス８１Ａのそれぞれの後下方に配置されている。１対のねじ穴８１Ｂのそれぞれは、本体部８５の左右方向外面から左右方向内方へ凹み、側面視略円形状を有している。１対のねじ穴８１Ｂのそれぞれは、対応する内側板３１のねじ挿通穴２９の左右方向内方に向かい合っている。クリーナフレーム８１は、ねじ５０が内側板３１のねじ挿通穴２９を介してねじ穴８１Ｂに螺合されることにより、内側板３１に固定されている。
【００７９】
クリーニングブレード８２は、図５および図９に示すように、支持部材８２Ａと、ブレード本体８２Ｂとを備えている。
【００８０】
支持部材８２Ａは、金属からなり、左右方向に延びる略板形状を有している。支持部材８２Ａは、クリーナフレーム８１のブレード支持部８７に固定されている。
【００８１】
ブレード本体８２Ｂは、ゴムなどの弾性部材からなり、左右方向に延びる略板形状を有している。ブレード本体８２Ｂの上端部は、支持部材８２Ａに固定されている。ブレード本体８２Ｂの下端部は、廃トナー収容部８８の上方半分を被覆するように、廃トナー収容部８８の前方に向かい合っている。また、ブレード本体８２Ｂの下端部は、後方に湾曲した状態で、感光ドラム１１のドラム本体４１（後述）の後端部に弾性的に接触している。これにより、ブレード本体８２Ｂは、感光ドラム１１を後下方へ押圧している。
【００８２】
スクリュー８３は、図９に示すように、廃トナー収容部８８内に配置されている。スクリュー８３は、左右方向に延びるオーガスクリューである。
【００８３】
除電部材８４は、除電部材支持部８９内に固定されている。除電部材８４は、左右方向に延びる半円柱形状を有している。除電部材８４の前面は、上下方向中央が前方へ膨出するように、側面視略円弧形状を有している。除電部材８４は、用紙Ｐにトナー像を転写した後の感光ドラム１１の表面を露光し、感光ドラム１１の表面の帯電電位を低減する。
（３）帯電ユニット
複数の帯電ユニット２７のそれぞれは、図４および図７Ｂを示すように、クリーナフレーム８１の１対の帯電支持部９２の間に配置されている。複数の帯電ユニット２７のそれぞれは、上記したスコロトロン型帯電器１２と、スコロトロン型帯電器１２を支持する帯電フレーム１０１とを備えている。
【００８４】
帯電フレーム１０１は、左右方向に延び、左右方向両端部が閉鎖された略角筒形状を有している。帯電フレーム１０１は、１対の係合ボス１０２と、１対のアーム部１０３とを有している。
【００８５】
１対の係合ボス１０２のそれぞれは、帯電フレーム１０１の左右方向両端部のそれぞれの後端部に配置されている。左方の係合ボス１０２は、帯電フレーム１０１の左壁から左方へ突出する略円柱形状を有し、クリーナフレーム８１の左方の係合溝９１内に嵌まっている。右方の係合ボス１０２は、帯電フレーム１０１の右壁から右方へ突出する略角柱形状を有し、クリーナフレーム８１の右方の係合溝９１内に嵌まっている。これにより、帯電フレーム１０１の後端部は、上下方向への移動が規制された状態で、クリーナフレーム８１に支持されている。
【００８６】
１対のアーム部１０３のそれぞれは、帯電フレーム１０１の左右方向両端部のそれぞれの前端部に配置されている。左方のアーム部１０３は、上下方向に延びる略柱形状を有している。右方のアーム部１０３は、前上方と後下方とを結ぶ方向に延びる略板形状を有している。右方のアーム部１０３の上端部は、左方のアーム部１０３の上端部よりも後方に配置されている。１対のアーム部１０３のそれぞれは、嵌合ボス１０３Ａを有している。
【００８７】
嵌合ボス１０３Ａは、図１０に示すように、アーム部１０３の左右方向外面から左右方向外方へ突出し、略円筒形状を有している。左方の嵌合ボス１０３Ａは、クリーナフレーム８１の左方の帯電支持部９２の嵌合穴９２Ａ内に嵌まっている。右方の嵌合ボス１０３Ａは、クリーナフレーム８１の右方の帯電支持部９２の嵌合穴９２Ａ内に嵌まっている。これにより、帯電フレーム１０１の前端部は、嵌合ボス１０３Ａの径方向への移動が規制された状態で、クリーナフレーム８１に支持されている。
【００８８】
また、左方の嵌合ボス１０３Ａの左右方向寸法は、クリーナフレーム８１の帯電支持部９２の左右方向寸法よりもわずかに長い。右方の嵌合ボス１０３Ａの左右方向寸法は、クリーナフレーム８１の帯電支持部９２の左右方向寸法よりもわずかに短い。左方の嵌合ボス１０３Ａの右端縁（左右方向内方端縁）と、右方の嵌合ボス１０３Ａの左端縁（左右方向内方端縁）との左右方向距離は、左方の帯電支持部９２の右面（左右方向内面）と、右方の帯電支持部９２の左面（左右方向内面）との左右方向距離よりもわずかに短い。すなわち、帯電ユニット２７は、クリーナフレーム８１の１対の帯電支持部９２間において左右方向にわずかに間隔Ｄを有して支持されている。
（４）感光ドラム
複数の感光ドラム１１のそれぞれは、図５および図１０に示すように、ドラム本体４１と、１対のフランジ部材４２とを備えている。
【００８９】
ドラム本体４１は、１対の内側板３１の間に配置されている。ドラム本体４１は、左右に延びる略円筒形状の金属管であり、外周面において感光層を有している。ドラム本体４１の左右方向両端部のそれぞれは、１対の内側板３１の左右方向内方に間隔を隔てて配置されている。
【００９０】
１対のフランジ部材４２のそれぞれは、ドラム本体４１の左右両端部のそれぞれに相対回転不能に嵌まっている。１対のフランジ部材４２のそれぞれは、大径部４３と、小径部４４とを備えている。左方のフランジ部材４２は、ドラムカップリング４５を備えている。右方のフランジ部材４２は、アース板４７を備えている。
【００９１】
大径部４３は、フランジ部材４２の左右方向内端部に配置されている。大径部４３は、左右方向外端部が閉鎖された略円筒形状を有している。大径部４３の外径は、ドラム本体４１の内径とほぼ同じである。大径部４３は、ドラム本体４１内に挿入されている。
【００９２】
小径部４４は、大径部４３の左右方向外壁から左右方向外方へ突出されている。小径部４４は、大径部４３と中心軸線を共有する略円筒形状を有している。小径部４４の外径は、大径部４３の外径よりも小さい。
【００９３】
ドラムカップリング４５は、図８および図１０に示すように、左方のフランジ部材４２の左端部に配置されている。ドラムカップリング４５は、駆動受け部４５Ａと、嵌合部４５Ｂと、鍔部４５Ｃとを備えている。
【００９４】
駆動受け部４５Ａは、左方の内側板３１の左方（左右方向外方）において、ドラムカップリング４５の左端部に配置されている。駆動受け部４５Ａは、略円板形状を有している。駆動受け部４５Ａは、複数の係合凹部４６を有している。
【００９５】
複数の係合凹部４６のそれぞれは、駆動受け部４５Ａの周縁部において、周方向に互いにの間隔を隔てて、具体的には、４つ配置されている。複数の係合凹部４６のそれぞれは、ドラムカップリング４５の左面から右方へ凹んでいる。複数の係合凹部４６のそれぞれは、側面視略矩形状を有している。複数の係合凹部４６のそれぞれは、装置本体２内の本体カップリング７１の係合突部７２を受け入れる。
【００９６】
嵌合部４５Ｂは、駆動受け部４５Ａの右面から右方へ延びる略角柱形状を有している。嵌合部４５Ｂは、左方のフランジ部材４２の小径部４４に、離脱可能かつ相対回転不能に嵌まっている。
【００９７】
鍔部４５Ｃは、駆動受け部４５Ａの右端部の外周面から径方向外方に突出し、駆動受け部４５Ａの周方向に延びている。鍔部４５Ｃは、略円環形状を有している。鍔部４５Ｂは、左方の外側板３６の貫通穴３６Ａ（後述）の周縁部と、左方の内側板３１との間に配置されている。これにより、ドラムカップリング４５は、左方のフランジ部材４２の小径部４４から左方に離脱することを規制されている。
【００９８】
アース板４７は、右方のフランジ部材４２の左端部に配置されている。アース板４７は、略円板形状を有し、ドラム本体４１の内周面に電気的に接続されている。
（５）軸受部材
複数の軸受部材３３は、複数の左軸受部材３３Ｌと、複数の右軸受部材３３Ｒとを含んでいる。
（５−１）左軸受部材
複数の左軸受部材３３Ｌのそれぞれは、図４および図１０に示すように、左方の内側板３１の左方において、複数の感光ドラム１１のそれぞれに対応して、具体的には、４つ配置されている。複数の左軸受部材３３Ｌのそれぞれは、筒部６１と、鍔部６２とを備えている。
【００９９】
筒部６１は、左右に延びる略円筒形状を有している。筒部６１は、左右両端部が開放されている。筒部６１の内径は、フランジ部材４２の小径部４４の外径とほぼ同じである。筒部６１の外径は、内側板３１の貫通穴３７の複数の平面３９に内接する内接円の直径とほぼ同じである。筒部６１は、左方のフランジ部材４２の小径部４４に径方向外方から相対回転可能に嵌まっている。また、筒部６１は、左方の内側板３１の貫通穴３７と、クリーナフレーム８１の左方の壁部８６の挿通穴９０に嵌まっている。筒部６１の前周面は、貫通穴３７の前方の平面３９Ｆと、挿通穴９０の前方の平面９３Ｆとに接触している。筒部６１の後周面は、貫通穴３７の後方の平面３９Ｒと、挿通穴９０の後方の平面９３Ｒとに接触している。筒部６１の上周面は、貫通穴３７の上方の平面３９Ｕと、挿通穴９０の上方の平面９３Ｕとに接触している。筒部６１の下周面は、貫通穴３７の下方の平面３９Ｌと、挿通穴９０の下方の平面９３Ｌとに接触している。筒部６１は、押圧リブ６１Ａを有している。
【０１００】
押圧リブ６１Ａは、筒部６１の右端部（左右方向内端部）の後上方の内周面に配置されている。押圧リブ６１Ａは、筒部６１の内周面から径方向内方へ突出し、周方向に延びている。押圧リブ６１Ａは、左方のフランジ部材４２の小径部４４の後上端部に接触し、小径部４４を前下方へ押圧している。押圧リブ６１Ａが左方のフランジ部材４２の小径部４４を押圧する方向は、ブレード本体８２Ｂがドラム本体４１を押圧する方向とほぼ一致している。
【０１０１】
鍔部６２は、筒部６１の左端部の外周面から径方向外方に突出し、筒部６１の周方向に延びている。鍔部６２は、略円環形状を有している。鍔部６２は、１対の係合部６３を有している。
【０１０２】
１対の係合部６３のそれぞれは、鍔部６２の上端部と下端部とに１つずつ配置されている。上方の係合部６３は、鍔部６２の上端縁から上方に突出し、右方へ屈曲されている。下方の係合部６３は、鍔部６２の下端縁から下方に突出し、右方へ屈曲されている。１対の係合部６３のそれぞれは、左方の内側板３１の上係合部３８Ａおよび下係合部３８Ｂのそれぞれに係合している。
（５−２）右軸受部材
複数の右軸受部材３３Ｒのそれぞれは、図３および図１０に示すように、右方の内側板３１の右方において、複数の感光ドラム１１のそれぞれに対応して、具体的には、４つ配置されている。複数の右軸受部材３３Ｒのそれぞれは、筒部５１と、鍔部５２と、シャフト５３とを備えている。
【０１０３】
筒部５１は、左右に延びる略円筒形状を有している。筒部５１は、左端部が開放され、右端部が閉鎖されている。筒部５１の内径は、フランジ部材４２の小径部４４の外径とほぼ同じである。筒部５１の外径は、内側板３１の貫通穴３７の複数の平面３９に内接する内接円の直径とほぼ同じである。筒部５１は、右方のフランジ部材４２の小径部４４に径方向外方から相対回転可能に嵌まっている。また、筒部５１は、右方の内側板３１の貫通穴３７と、クリーナフレーム８１の右方の壁部８６の挿通穴９０に嵌まっている。筒部５１の前周面は、貫通穴３７の前方の平面３９Ｆと、挿通穴９０の前方の平面９３Ｆとに接触している。筒部５１の後周面は、貫通穴３７の後方の平面３９Ｒと、挿通穴９０の後方の平面９３Ｒとに接触している。筒部５１の上周面は、貫通穴３７の上方の平面３９Ｕと、挿通穴９０の上方の平面９３Ｕとに接触している。筒部５１の下周面は、貫通穴３７の下方の平面３９Ｌと、挿通穴９０の下方の平面９３Ｌとに接触している。筒部５１は、押圧リブ５１Ａを有している。
【０１０４】
押圧リブ５１Ａは、筒部５１の左端部（左右方向内端部）の後上方の内周面に配置されている。押圧リブ５１Ａは、筒部５１の内周面から径方向内方へ突出し、周方向に延びている。押圧リブ５１Ａは、右方のフランジ部材４２の小径部４４の後上端部に接触し、小径部４４を前下方へ押圧している。押圧リブ５１Ａが右方のフランジ部材４２の小径部４４を押圧する方向は、押圧リブ６１Ａが左方のフランジ部材４２の小径部４４を押圧する方向と同じであり、ブレード本体８２Ｂがドラム本体４１を押圧する方向とほぼ一致している。
【０１０５】
鍔部５２は、筒部５１の右端部の外周面から径方向外方に突出し、筒部５１の周方向に延びている。鍔部５２は、略円環形状を有している。鍔部５２は、１対の係合部５４を有している。
【０１０６】
１対の係合部５４のそれぞれは、鍔部５２の上端部と下端部とに１つずつ配置されている。上方の係合部５４は、鍔部５２の上端縁から上方に突出し、左方へ屈曲されている。下方の係合部５４は、鍔部５２の下端縁から下方に突出し、左方へ屈曲されている。１対の係合部５４のそれぞれは、右方の内側板３１の上係合部３８Ａおよび下係合部３８Ｂのそれぞれに係合している。
【０１０７】
シャフト５３は、筒部５１の径方向中央に配置されている。シャフト５３は、金属からなり、左右方向に延びる略円柱形状を有している。シャフト５３は、筒部５１の右壁を左右方向に貫通するように、筒部５１の右壁の径方向中央に固定されている。シャフト５３は、右方のフランジ部材４２内に挿入されて、左端部においてアース板４７に接触している。シャフト５３の右端部は、筒部５１の右壁から右方に突出している。
（６）前板、後板および外側板
前板３４は、図２に示すように、ドラムユニット９の前端部に配置されている。前板３４は、左右方向に長い正面視略矩形の平板形状を有している。前板３４は、１対の内側板３１の前端部間に架設されている。
【０１０８】
後板３５は、ドラムユニット９の後端部に配置されている。後板３５は、左右方向に長い正面視略矩形の平板形状を有している。後板３５は、１対の内側板３１の後端部間に架設されている。
【０１０９】
１対の外側板３６のそれぞれは、１対の内側板３１のそれぞれの左右方向外方に配置されている。１対の外側板３６のそれぞれは、樹脂からなり、１対の内側板３１のそれぞれよりも上下方向に幅広な側面視略矩形の平板形状を有している。左方の外側板３６は、図１０に示すように、ドラムカップリング４５の駆動受け部４５Ａが回転可能に嵌まる貫通穴３６Ａを有している。左方の外側板３６は、貫通穴３６Ａの周縁部において、ドラムカップリング４５の鍔部４５Ｂの左方に向かい合っている。
３．ドラムユニットのアースに関する構成
（１）ドラムアース部材およびブレードアース部材
ドラムユニット９は、図３および図１１に示すように、複数のドラムアース部材５５と、複数のブレードアース部材８０とをさらに備えている。
【０１１０】
複数のドラムアース部材５５のそれぞれは、図３に示すように、右方の内側板３１の右方において、複数の感光ドラム１１のそれぞれに対応して、具体的には、４つ配置されている。複数のドラムアース部材５５のそれぞれは、金属製のワイヤからなり、前後方向に延び、前後方向両端部において下方に屈曲されている。複数のドラムアース部材５５のそれぞれの前後方向中央は、対応する感光ドラム１１のシャフト５３の右端部に接触している。複数のドラムアース部材５５のそれぞれの下端部は、右方の内側板３１の下端部に係止されている。これにより、複数のドラムアース部材５５のそれぞれは、対応する感光ドラム１１と右方の内側板３１とを電気的に接続している。
【０１１１】
複数のブレードアース部材８０のそれぞれは、図１１に示すように、複数のクリーニングブレード８２のそれぞれに対応して、対応するクリーニングブレード８２の左右方向両端部に１つずつ配置されている。複数のブレードアース部材８０のそれぞれは、固定部８０Ａと、接触部８０Ｂとを有している。
【０１１２】
固定部８０Ａは、ブレードアース部材８０の左右方向外端部に配置されている。固定部８０Ａは、金属からなり、側面視略Ｌ字形の板形状を有している。固定部８０Ａは、ねじにより内側板３１に固定されている。これにより、固定部８０Ａは、内側板３１に電気的に接続されている。
【０１１３】
接触部８０Ｂは、固定部８０Ａから左右方向内方に延び、左右方向内端部において前方に屈曲され、その自由端である前端部において、クリーニングブレード８２の支持部材８２Ａの左右方向両端部の上端部に弾性的に接触されている。これにより、接触部８０Ｂは、クリーニングブレード８２の支持部材８２Ａに電気的に接続されている。すなわち、クリーニングブレード８２の支持部材８２Ａの左右方向両端部のそれぞれは、左右のブレードアース部材８０のそれぞれを介して、左右の内側板３１のそれぞれに電気的に接続されている。
（２）本体基準軸
装置本体２は、図１に示すように、本体基準軸７０を備えている。
【０１１４】
本体基準軸７０は、装置本体２の後端部内に配置されている。本体基準軸７０は、金属からなり、左右方向に延びる略円柱形状を有している。
（３）感光ドラムおよびクリーニングブレードのアース
プロセスユニット３が装置本体内に装着されると、左右の内側板３１のそれぞれの切欠部３０は、本体基準軸７０の左右方向両端部のそれぞれに嵌まる。左右の内側板３１のそれぞれは、本体基準軸７０に電気的に接続される。
【０１１５】
すると、感光ドラム１１のドラム本体４１は、図３および図１１に示すように、右方のフランジ部材４２のアース板、右軸受部材３３Ｒのシャフト５３、ドラムアース部材５５、および、右方の内側板３１を順次介して、装置本体２の本体基準軸７０にアースされる。また、感光ドラム１１のドラム本体４１は、右方のフランジ部材４２のアース板、右軸受部材３３Ｒのシャフト５３、ドラムアース部材５５、右方の内側板３１、右方のブレードアース部材８０、支持部材８２Ａ、左方のブレードアース部材８０および左方の内側板３１を順次介して、装置本体２の本体基準軸７０にアースされる。
【０１１６】
クリーニングブレード８２は、図１１に示すように、左方のブレードアース部材８０および左方の内側板３１を順次介して装置本体２の本体基準軸７０にアースされる。また、クリーニングブレード８２は、右方のブレードアース部材８０および右方の内側板３１を順次介して、装置本体２の本体基準軸７０にアースされる。
３．感光ドラムの交換作業
感光ドラム１１の交換作業について、図４および図１０を参照して説明する。
【０１１７】
ドラムユニット９のメンテナンスにおいて、感光ドラム１１を交換する場合がある。
【０１１８】
感光ドラム１１を交換するには、作業者は、左右の外側板３６を取り外した状態で、まず、帯電ユニット２７をドラムクリーナ３２から離脱する。
【０１１９】
帯電ユニット２７をドラムクリーナ３２から取り外すには、まず、帯電ユニット２７の左方の嵌合ボス１０３Ａから、ねじ１０４を取り外す。
【０１２０】
次いで、左方の帯電支持部９２を撓めるように帯電ユニット２７を左方へ移動させて、右方の嵌合ボス１０３Ａを右方の帯電支持部９２の嵌合穴９２Ａから離脱させる。
【０１２１】
その後、左方の嵌合ボス１０３Ａを左方の帯電支持部９２の嵌合穴９２Ａから離脱させる。これにより、帯電ユニット２７のドラムクリーナ３２からの離脱が完了する。
【０１２２】
次いで、感光ドラム１１を交換するには、作業者は、ドラムカップリング４５、ドラムアース部材５５および左右の軸受部材３３を順次取り外した後、１対の内側板３１の間から感光ドラム１１を取り外す。
【０１２３】
次いで、感光ドラム１１を交換するには、作業者は、新しい感光ドラム１１を１対の内側板３１の間に配置し、左右の軸受部材３３、ドラムカップリング４５およびドラムアース部材５５順次組み付ける。
【０１２４】
次いで、感光ドラム１１を交換するには、作業者は、帯電ユニット２７をドラムクリーナ３２に装着する。
【０１２５】
帯電ユニット２７をドラムクリーナ３２に装着するには、まず、左方の嵌合ボス１０３Ａを左方の帯電支持部９２の嵌合穴９２Ａ内に嵌める。
【０１２６】
次いで、左方の帯電支持部９２を撓めるように帯電ユニット２７を左方へ移動させて、右方の嵌合ボス１０３Ａを右方の帯電支持部９２の嵌合穴９２Ａ内に嵌める。
【０１２７】
次いで、帯電ユニット２７の左方の嵌合ボス１０３Ａに、ねじ１０４を螺合させる。
【０１２８】
これにより、帯電ユニット２７のドラムクリーナ３２への装着が完了する。
【０１２９】
その後、左右の外側板３６を組み付けると、感光ドラム１１の交換作業が完了する。
４．ドラムクリーニング動作
上記した画像形成動作において、トナー像が用紙Ｐに転写された後、感光ドラム１１の表面には、用紙Ｐに転写されずに残存したトナー（残トナー）や、用紙Ｐから付着した紙粉などが付着する場合がある。
【０１３０】
残トナーや紙粉などの付着物は、図９に示すように、感光ドラム１１の回転（図８中の矢印参照）に伴って、クリーニングブレード８２によって感光ドラム１１の表面から掻き取られ、廃トナー収容部８８内に貯留される。
５．特許請求の範囲との対応関係
上記の実施形態において、前後方向は、直交方向の一例である。左右方向は、軸線方向の一例である。装置本体２は、外部の一例である。内側板３１は、側板の一例である。左方の内側板３１は、第１側板の一例である。右方の内側板３１は、第２側板の一例である。切欠部３０は、接点部の一例である。クリーナフレーム８１は、フレームの一例である。支持部材８２Ａは、導通部材の一例である。ブレード本体８２Ｂは、クリーニング部材の一例である。ブレードアース部材８０は、接続部材の一例である。右方のブレードアース部材８０は、第１接続部材の一例である。左方のブレードアース部材８０は、第２接続部材の一例である。本体基準軸７０は、導電性部材の一例である。
６．作用効果
（１）このドラムユニット９によれば、図１１に示すように、ブレード本体８２Ｂを支持する支持部材８２Ａを、ブレードアース部材８０によって内側板３１にアースすることができる。
【０１３１】
そのため、ドラムユニット９が装置本体２内に装着され、内側板３１の切欠部３０が装置本体２の本体基準軸７０に嵌合することにより、内側板３１を利用して支持部材８２Ａをアースできる。
【０１３２】
その結果、簡易な構成で、クリーニングブレード８２をアースできる。
（２）このドラムユニット９によれば、図１１に示すように、左右のブレードアース部材８０によって、左右の内側板３１を支持部材８２Ａを介して電気的に接続することができる。
【０１３３】
そのため、支持部材８２Ａを左右の内側板３１のそれぞれにアースできる。
【０１３４】
その結果、より確実にクリーニングブレード８２をアースできる。
（３）このドラムユニット９によれば、図１１に示すように、内側板３１とブレードアース部材８０とを一緒にクリーナフレーム８１に固定することができる。
【０１３５】
その結果、より簡易な構成で、クリーニングブレード８２をアースできる。
（４）このドラムユニット９によれば、図１１に示すように、ブレードアース部材８０は、自由端である接触部８０Ｂの前端部において、支持部材８２Ａに弾性的に接触している。
【０１３６】
そのため、簡易な構成で確実に、ブレードアース部材８０と支持部材８２Ａとを電気的に接続することができる。
（５）このドラムユニット９によれば、図３および図１０に示すように、感光ドラム１１のドラム本体４１は、アース板４７、シャフト５３およびドラムアース部材５５を順次介して、内側板３１に電気的に接続されている。
【０１３７】
そのため、内側板３１を利用して感光ドラム１１もアースできる。
【０１３８】
その結果、簡易な構成で、感光ドラム１１とクリーニングブレード８２とをアースできる。
（６）このドラムユニット９によれば、図１１に示すように、簡易な構成で、複数の感光ドラム１１、および、複数のクリーニングブレード８２をアースできる。
（７）このドラムユニット９によれば、図１１に示すように、左右の内側板３１を支持部材８２Ａを介して電気的に接続することができる。
【０１３９】
そのため、図３および図１１に示すように、右方の内側板３１にのみアースされた感光ドラム１１を、支持部材８２Ａを介して左方の内側板３１にもアースできる。
【０１４０】
その結果、簡易な構成で、より確実に感光ドラム１１をアースできる。
【０１４１】
また、感光ドラム１１が右方の内側板３１にのみアースされていると、感光ドラム１１が電気ノイズを生じやすい。
【０１４２】
感光ドラム１１が電気ノイズを生じると、その影響により、スキャナユニット４などの周辺の装置が誤作動し、壊れるおそれがある。
【０１４３】
しかし、このドラムユニット９によれば、感光ドラム１１の近傍に、左右方向に延び、左右の内側板３１の両方に電気的に接続された支持部材８２Ａが配置されている。
【０１４４】
そのため、感光ドラム１１の電気ノイズを低減することができ、周辺の装置の誤作動を抑制することができる。
７．変形例
上記した実施形態では、ブレードアース部材８０を、金属製の屈曲板として構成したが、図１２に示すように、ブレードアース部材１１１を、金属製のワイヤからなるコイルばねとして構成することもできる。
【０１４５】
この場合、ブレードアース部材１１１は、内側板３１に係止される一端部１１１Ａと、支持部材８２Ａに係止される他端部１１１Ｂとを有する。
【０１４６】
この変形例によれば、より一層簡易な構成で、クリーニングブレード８２をアースできる。
【０１４７】
この変形例においても、上記した実施形態と同様の作用効果を得ることができる。
【０１４８】
また、上記した実施形態では、画像形成装置１をダイレクトタンデム型カラーレーザプリンタとして構成したが、例えば、図１３に示すように、中間転写ベルト１２１と二次転写ローラ１２２とを有する中間転写型カラープリンタ１として構成することもできる。
【０１４９】
この場合、画像形成動作において、中間転写ベルト１２１は、その上方部分が後方から前方へ向かって移動するように周回移動される。
【０１５０】
そして、感光ドラム１１の表面に担持されたトナー像は、中間転写ベルト１２２の上方部分に一次転写された後、中間転写ベルト１２２の周回移動により、複数の転写ローラ１８の下方を通って前方から後方へ搬送され、駆動ローラ１５と二次転写ローラ１２２との間に供給される。
【０１５１】
一方、用紙Ｐは、給紙トレイ７から後上方へ搬送され、所定のタイミングで、駆動ローラ１５と二次転写ローラ１２２との間に供給される。
【０１５２】
このとき、中間転写ベルト１２２上のトナー像は、用紙Ｐに転写される。そして、用紙Ｐが加熱ローラ１９と加圧ローラ２０との間を通過するときに、用紙Ｐ上のトナー像が用紙Ｐに熱定着される。その後、用紙Ｐは、排紙トレイ８に排紙される。
【０１５３】
この変形例においても、上記した実施形態と同様の作用効果を得ることができる。
８．変形例における特許請求の範囲との対応関係
上記の変形例において、ブレードアース部材１１１は、接続部材の一例である。ブレードアース部材１１１の一端部１１１Ａは、固定部の一例である。ブレードアース部材１１１の他端部１１１Ｂは、接触部の一例である。
【符号の説明】
【０１５４】
２        装置本体
９        ドラムユニット
１１      感光ドラム
３０      切欠部
３１      内側板
７０      本体基準軸
８０      ブレードアース部材
８０Ａ    固定部
８０Ｂ    接触部
８１      クリーナフレーム
８２Ａ    支持部材
８２Ｂ    ブレード本体
１１１    ブレードアース部材
１１１Ａ  一端部
１１１Ｂ  他端部
Ａ        軸線
【図１】
2015194651.tif 000003
【図２】
2015194651.tif 000004
【図３】
2015194651.tif 000005
【図４】
2015194651.tif 000006
【図５】
2015194651.tif 000007
【図６】
2015194651.tif 000008
【図７】
2015194651.tif 000009
【図８】
2015194651.tif 000010
【図９】
2015194651.tif 000011
【図１０】
2015194651.tif 000012
【図１１】
2015194651.tif 000013
【図１２】
2015194651.tif 000014
【図１３】
2015194651.tif 000015